(57)【特許請求の範囲】
【請求項１】
換気扇本体を形成する枠状のフレームと、この枠状のフレームの上方側フレームに、内側に向け凹ませ上部が開口した受部と、この受部に挿入し、回動が阻止されるように収納され、少なくとも互いに平行な１組の辺を有する多角形ナットと、この多角形ナットに螺合されるうちわボルトが挿通するように前記受部の底部に設けた挿通孔とを備え、前記多角形ナットに進退自在に螺合したうちわボルトの先端部を壁部等に設けた換気扇取付孔に係合し、前記換気扇本体を取り付ける構成とした換気扇であって、前記受部は、前記上方側フレームに前記多角形ナットが収納されるように設けた収納凹部と、この収納凹部に連設し、前記多角形ナットが横動自在の形状で、前記多角形ナットの上面が保持される保持片を有した保持凹部とにより長方形状に形成されたことを特徴とする換気扇。
【請求項２】
多角形ナットを収納凹部より保持凹部に横動したときに前記多角形ナットが前記収納凹部側に戻らないように阻止する阻止片を受部に起立自在に形成した請求項１記載の換気扇。
【発明の詳細な説明】
【０００１】
【発明の属する技術分野】
本発明は、壁部等に設けた換気扇取付孔に換気扇本体に設けたうちわボルトを進退させて取り付けるようにした換気扇に関する。
【０００２】
【従来の技術】
近年、環境の良化を図るために設置される換気扇の普及に伴い、コストの安い換気扇への要求が更に高まってきている。
【０００３】
従来、この種の換気扇の一例として図９に示すものが知られていた。以下、その構成について図９を参照しながら説明する。
【０００４】
図に示すように、枠状のフレーム１０１９内部にファンモータ１０２を設けた換気扇本体１０３の室外側には室外側開口１０４を開閉する複数枚のシャッター１０５を、シャッター連結板１０６を介しスイッチ１０７と連動するように設け、室内側には風胴となるオリフィス１０８を設け、フレーム１０１の上方側フレーム１０１ａには内側に向かい円形状に凹ませた円形凹部１０９を形成し、円形凹部１０９には、うちわボルト１１０が進退自在に螺合される大径部１１１ａを有した、円筒状のナット１１１を圧入する円形孔１１２を設け、円筒状のナット１１１を円形孔１１２に圧入して、うちわボルト１１０の螺合する部分を構成し、壁部１１３等に設けた換気扇取付孔１１４にうちわボルト１１０の先端部を係合して換気扇本体１０３を換気扇取付孔１１４に取り付けていた。
【０００５】
【発明が解決しようとする課題】
このような従来の換気扇では、上方側フレーム１０１ａに形成した円形孔１１２に円筒状のナット１１１を圧入し、円筒状のナット１１１の回り止めおよび、上下方向の固定を大径部１１１ａで行っていたため、円筒状のナット１１１は一端に大径部１１１ａを有した特殊なナットを使用する必要があるとともに、円筒状のナット１１１を圧入して固定するための円形孔１１２の寸法精度および、円筒状のナット１１１の部品精度を高くする必要があり、コストが高くなるという課題があった。
【０００６】
本発明は、上記課題を解決するもので、標準的な多角形ナットを使用することによってコストの低減を図ることのできる換気扇を提供することを目的とする。
【０００７】
【課題を解決するための手段】
本発明の換気扇においては、換気扇本体を形成する枠状のフレームと、この枠状のフレームの上方側フレームに両側に切り込みを入れ内側に向けほぼＵ字状に凹ませ、左右が開口した収納部を形成した受部と、この受部の収納部の左または右の開口から挿入し、回動が阻止されるように収納され、少なくとも互いに平行な１組の辺を有する多角形ナットと、この多角形ナットに螺合されるうちわボルトが挿通するように前記受部の底部に設けた挿通孔とを備え、前記多角形ナットに進退自在に螺合したうちわボルトの先端部を壁部などに設けた換気扇取付孔に係合し、前記換気扇本体を取り付ける構成としたものである。
【０００８】
この本発明によれば、標準的な多角形ナットを使用することによってコストの低減を図ることのできる換気扇を提供することができる。
【０００９】
【発明の実施の形態】
本発明の請求項１に記載の発明は、換気扇本体を形成する枠状のフレームと、この枠状のフレームの上方側フレームに、内側に向け凹ませ上部が開口した受部と、この受部に挿入し、回動が阻止されるように収納され、少なくとも互いに平行な１組の辺を有する多角形ナットと、この多角形ナットに螺合されるうちわボルトが挿通するように前記受部の底部に設けた挿通孔とを備え、前記多角形ナットに進退自在に螺合したうちわボルトの先端部を壁部等に設けた換気扇取付孔に係合し、前記換気扇本体を取り付ける構成とした換気扇であって、前記受部は、前記上方側フレームに前記多角形ナットが収納されるように設けた収納凹部と、この収納凹部に連設し、前記多角形ナットが横動自在の形状で、前記多角形ナットの上面が保持される保持片を有した保持凹部とにより長方形状に形成されたものであり、受部に収納される多角形ナットは、標準的な多角形ナットを使用することが可能となり、取付部分の精度および部品精度を高くする必要がなくなるとともに、多角形ナットは、多角形ナット自体を横動することにより上方側フレームに設けた受部で回動が阻止された状態で保持されることとなるので、嵌合時のような寸法精度を要する必要がなく、コストの低減を図ることができるという作用を有する。
【００１０】
以下、本発明の実施の形態について、図１〜図８を参照しながら説明する。
【００１１】
（実施の形態１）
図１および図２に示すように、枠状のフレーム１の内部にファン２ａをファンモータ２に着脱自在に設けた換気扇本体３の室外側には室外側開口４を開閉する複数のシャッター５をシャッター連結板６を介しスイッチ７と連動するように設け、室内側に風胴となるオリフィス８を枠状のフレーム１に着脱自在に設け、枠状のフレーム１の上方側フレーム１ａに両側に切り込みを入れ、内側に向けほぼＵ字状に凹ませ、上部と左右が開口した収納部９を設けた受部１０を形成し、受部１０の収納部９の左または右の開口から挿入し、受部１０により回動が阻止されるように収納された四角ナット１１に螺合されるうちわボルト１２のボルト部分が挿通される挿通孔１３を受部１０の底部１４に設け、換気扇本体３の上方側フレーム１ａに設けた受部１０上の収納部９に四角ナット１１を収納し、上方側フレーム１ａの内側からうちわボルト１２のボルト部分を受部１０の底部１４に設けた挿通孔１３に挿通し、四角ナット１１に螺合した状態に換気扇本体３を構成する。
【００１２】
上記構成において、換気扇本体３を壁部１５に設けた換気扇取付孔１６に取り付けるときには、オリフィス８および、ファンモータ２に設けたファン２ａを取り外し、換気扇取付孔１６に換気扇本体３を装着し、換気扇本体３の内側よりうちわボルト１２を操作し、うちわボルト１２の先端を換気扇取付孔１６に係合し固定したのち、オリフィス８を枠状のフレーム１に取り付け、ファン２ａをファンモータ２に取り付けて取付けを完了する。
【００１３】
なお、四角ナット１１は、その形状に限定されるものでなく、六角ナットなど少なくとも互いに平行な１組の辺を有する形状のナットであればよく、その作用効果に差異はない。
【００１４】
このように本発明の実施の形態１の換気扇によれば、換気扇本体３の上方側フレーム１ａの両側に切り込みを入れ内側に向けほぼＵ字状に凹ませ、上部左右が開口した収納部９を形成した受部１０の収納部９に四角ナット１１を回動を阻止した状態に保持し、上方側フレーム１ａの内側よりうちわボルト１２を四角ナット１１に螺合しているので、うちわボルト１２に螺合されるナットとして標準の四角ナット１１を使用することが可能となるとともに、四角ナット１１は圧入等により固定する必要もなくなり、四角ナット１１の収納される受部１０部分の寸法精度を高める必要もなくなり、コスト低減を図ることができる。
【００１５】
（実施の形態２）
図３および図４に示すように、換気扇本体３Ａの上方側フレーム１６に四角ナット１１が収納されるように設けた収納凹部１７と、収納凹部１７に連設し、四角ナット１１が横動自在な形状の保持凹部１８とを長方形状に形成した受部１０Ａを設け、受部１０Ａの保持凹部１８の側壁の一部を切り起こし、保持凹部１８の上部に、四角ナット１１の上面に当接し四角ナット１１を保持するようにほぼ水平状の一対の保持方１９を設ける。
【００１６】
上記構成において、うちわボルト１２を換気扇本体３Ａの上方側フレーム１ｂに取り付けるときには、受部１０Ａの一方に形成した収納凹部１７に四角ナット１１を収納したのち、四角ナット１１を横動して四角ナット１１を保持凹部１８側に移動することにより保持凹部１８の上部に設けた保持片１９が四角ナット１１の上面に当接して四角ナット１１が保持されることとなり、うちわボルト１２のボルト部分は受部１０Ａの底部１４に設けた挿通孔１３を挿通し四角ナット１１に螺合してうちわボルト１２を四角ナット１１に取り付けられる
このように本発明の実施の形態２の換気扇によれば、上方側フレーム１６に四角ナット１１の収納凹部１７と、この収納凹部１７に連接し、四角ナット１１が横動できる保持凹部１８とを設け、保持凹部１８に四角ナット１１の上面に当接し保持する保持片１９を設けた受部１０Ａにより構成したので、標準的な四角ナット１１を使用することができるとともに、四角ナット１１は四角ナット１１自体を横動することにより上方側フレーム１ｂに設けた受部１０Ａで回動が阻止された状態で保持されることとなるので、嵌合時のような寸法精度を要する必要がなくコストの低減を図ることができる。
【００１７】
（実施の形態３）
図５および図６に示すように、四角ナット１１を収納凹部１７より保持凹部１８に横動したときに、四角ナットが収納凹部１７側に戻らないように阻止する阻止片２０を受部１０Ｂの底部１４に起立自在となるように切り起こし形成する。
【００１８】
上記構成において、収納凹部１７に収納された四角ナット１１を阻止片２０が起立しようとする弾性に抗して保持凹部１８側に横動したときには、四角ナット１１の上面は保持片１９により保持され、阻止片２０が起立して四角ナット１１の収納凹部１７側の側面に対応し、四角ナットが収納凹部１７側に移動するのが阻止され四角ナット１１が保持されることとなる。
【００１９】
このように本発明の実施の形態３の換気扇によれば、受部１０Ｂに設けた収納凹部１７に収納した四角ナット１１を保持凹部１８に横動したときに、四角ナット１１が収納凹部１７側に戻るのを阻止する阻止片２０を設けたので、使用される四角ナット１１は標準品を使用することができるとともに、四角ナット１１は圧入等により固定する必要がないので、四角ナット１１の保持部分の寸法精度を高くする必要もなくコストを低減することができる。また、保持凹部１８内の四角ナット１１は、保持片１９と阻止片２０により移動が阻止された状態で保持されることとなり、四角ナット１１を固定した状態と同様にうちわボルト１２が確実に保持される。
【００２０】
（実施の形態４）
図７および図８に示すように、上方側フレーム１Ｃに四角ナット１１が収納されるように凹ませた受部１０Ｃと、この受部１０Ｃの両側の上方側フレーム１Ｃ部分を切り起こし形成した起立状態の上部押え片２１とを設け、受部１０Ｃ内に収納された四角ナット１１を上部押え片２１を曲折させて押さえ保持する構成とする。
【００２１】
上記構成において、四角ナット１１を受部１０Ｃ内に収納したのち、上部押え片２１を曲折させて四角ナット１１の上面を押さえ、四角ナット１１を保持したのち、うちわボルト１２を四角ナット１１に螺合し、うちわボルト１２を取り付ける。
【００２２】
このように本発明の実施の形態４の換気扇によれば、四角ナット１１が収納される受部１０Ｃの両側に起立状態の上部押え片２１を設け、受部１０Ｃ内に四角ナット１１を収納したのち、四角ナット１１の上面を押さえるように上部押え片２１を曲折して四角ナット１１を保持するので、四角ナット１１は受部１０Ｃ内に収納されたのち、保持力調整の加工が行われ、四角ナット１１の厚みにばらつきがあった場合においても四角ナット１１を確実に固定状態に保持されることとなり、四角ナット１１は標準品を使用することが可能となるとともに、四角ナット１１の保持部分の寸法精度を高める必要もなく、また、四角ナット１１を横動する必要もないので、自動化にも対応することができ、製造が容易でコスト低減を図ることができる。
【００２３】
【発明の効果】
以上の実施の形態から明らかなように、本発明によれば、換気扇本体を形成する枠状のフレームと、この枠状のフレームの上方側フレームに両側に切り込みを入れ内側に向けほぼＵ字状に凹ませ、左右が開口した収納部を形成した受部と、この受部の収納部の左または右の開口から挿入し回動が阻止されるように収納され、少なくとも互いに平行な１組の辺を有する多角形ナットと、この多角形ナットに螺合されるうちわボルトが挿通するように前記受部の底部に設けた挿通孔とを備え、前記多角形ナットに進退自在に螺合したうちわボルトの先端部を壁部等に設けた換気扇取付孔に係合し、前記換気扇本体を取り付ける構成としたので、標準的な角形ナットを使用することによってコストの低減を図ることのできる換気扇を提供できる。
【００２４】
また、上方側フレームに多角形ナットが収納されるように設けた収納凹部と、この収納凹部に連設し、前記多角形ナットが横動自在の形状で、多角形ナットの上面が保持される保持片を有した保持凹部とにより長方形状に形成される受部を設けたので、標準的な多角形ナットの使用が可能となるとともに、嵌合時のような寸法精度を要する必要がなくコストの低減を図ることができる。
【００２５】
また、多角形ナットを収納凹部より保持凹部に移動したときに多角形ナットが収納したので、多角形ナットを固定した状態と同様に多角形ナットおよびうちわボルトを保持することができる。
【図面の簡単な説明】
【図１】本発明の実施の形態１の換気扇の構成を示す設置状態の断面図
【図２】同換気扇の受部に四角ナットを保持させる状態を順次示す斜視図
【図３】本発明の実施の形態２の換気扇の構成を示す断面図
【図４】同換気扇の受部に四角ナットを保持させる状態を順次示す斜視図
【図５】本発明の実施の形態３の換気扇の構成を示す断面図
【図６】同換気扇の受部に四角ナットを保持させた状態を示す斜視図
【図７】本発明の実施の形態４の換気扇の構成を示す断面図
【図８】同換気扇の受部に四角ナットを保持させる状態を順次示す斜視図
【図９】従来の換気扇の構成を示す設置状態の断面図
【符号の説明】
１      枠状のフレーム
１ａ    上片側フレーム
１ｂ    上片側フレーム
１ｃ    上片側フレーム
３      換気扇本体
９      収納部
１０    受部
１０Ａ  受部
１０Ｂ  受部
１０Ｃ  受部
１１    四角ナット
１２    うちわボルト
１３    挿通孔
１４    底部
１５    壁部
１６    換気扇取付孔
１７    収納凹部
１８    保持凹部
１９    保持片
２０    阻止片
２１    上部押さ片
【図１】
0003708361.tif 000002
【図２】
0003708361.tif 000003
【図３】
0003708361.tif 000004
【図４】
0003708361.tif 000005
【図５】
0003708361.tif 000006
【図６】
0003708361.tif 000007
【図７】
0003708361.tif 000008
【図８】
0003708361.tif 000009
【図９】
0003708361.tif 000010